(57)【特許請求の範囲】
【請求項１】
基底部と、該基底部の中央から凸状に形成された突出部とを含む本体と、
前記基底部に対して傾斜角をなすように前記突出部に配置される発光チップを含む発光体と、
前記基底部、突出部、及び発光チップを覆う蛍光体とを有し、
前記基底部はプレート形状であり、
前記突出部は、前記基底部の表面と第１角度をなす第１傾斜面、前記基底部の表面と垂直の平面に対して前記第１傾斜面と対称をなす第２傾斜面、及び前記第１傾斜面の上端及び第２傾斜面の上端を連結する上面とを含み、
前記蛍光体の表面は、前記第１傾斜面に対応する第１面、前記第２傾斜面に対応する第２面、及び前記上面に対応する第３面と、を含むことを特徴とする光源。
【請求項２】
前記発光体は、前記第１傾斜面に配置される第１発光チップと、
前記第２傾斜面に配置される第２発光チップとを含むことを特徴とする請求項１に記載の光源。
【請求項３】
前記第１発光チップ及び第２発光チップは青色光を出射し、
前記蛍光体は、前記青色光の入射を受けて白色光を出射する黄色蛍光体を含むことを特徴とする請求項２に記載の光源。
【請求項４】
前記第１角度は、３０°〜４５°であることを特徴とする請求項１に記載の光源。
【請求項５】
前記突出部の表面は、円形に丸められた曲面で形成されることを特徴とする請求項１に記載の光源。
【請求項６】
前記蛍光体の表面は、前記突出部の表面に対応して円形に丸められた曲面で形成されることを特徴とする請求項５に記載の光源。
【請求項７】
出光面と、前記光源が配置される溝を含む光ガイドユニットと、
前記光源を実装して、前記発光体に駆動電流を供給する電源供給基板とを更に有することを特徴とする請求項１に記載の光源。
【請求項８】
前記出光面から出射された光を利用して画像を表示する表示パネルを更に有することを特徴とする請求項７に記載の光源。
【請求項９】
溝が形成された光ガイドユニットと、
前記溝に配置され、基底部及び前記基底部の中央から凸状に形成された突出部とを含む本体、
前記基底部に対して傾斜角をなすように前記突出部に配置され、第１光を出射する発光チップ、及び前記基底部、突出部、及び発光チップを覆って前記第１光の入射を受けて第２光を前記光ガイドユニットに出射する蛍光体と、を含む光源と、
前記光源が実装され、前記発光チップに駆動電流を印加する電源供給基板とを有し、
前記基底部はプレート形状であり、
前記突出部は、前記基底部の表面と第１角度をなす第１傾斜面、前記基底部の表面と垂直の平面に対して前記第１傾斜面と対称をなす第２傾斜面、及び前記第１傾斜面の上端及び第２傾斜面の上端を連結する上面とを含み、
前記蛍光体の表面は、前記第１傾斜面に対応する第１面、前記第２傾斜面に対応する第２面、及び前記上面に対応する第３面と、を含むことを特徴とする光出射モジュール。
【請求項１０】
前記光ガイドユニットは、ガイドされた前記第２光が出射される出光面と、
前記出光面と対向する対向面と、
前記出光面と対向面とを連結して、前記溝が形成される側面とを含むことを特徴とする請求項９に記載の光出射モジュール。
【請求項１１】
前記出光面から出射された光を利用して画像を表示する表示パネルを更に含むことを特徴とする請求項１０に記載の光出射モジュール。
【請求項１２】
前記側面には複数個の前記溝が形成され、前記光源は前記溝にそれぞれ配置されることを特徴とする請求項１０に記載の光出射モジュール。
【請求項１３】
前記溝は、前記第１傾斜面に対応する第１内側面と、
前記第２傾斜面に対応する第２内側面とを含むことを特徴とする請求項９に記載の光出射モジュール。
【請求項１４】
基底面と、該基底面と第１角度をなす第１傾斜面と、前記基底面の垂直仮想中心平面に対して前記第１傾斜面と対称をなす第２傾斜面とを含む本体と、前記第１傾斜面に配置される第１発光チップと、前記第２傾斜面に配置される第２発光チップとを含む発光体と、前記基底面、第１傾斜面、第２傾斜面、第１発光チップ、及び第２発光チップを覆う蛍光体とを含む光源と、
前記光源が実装され、前記第１発光チップ及び第２発光チップに駆動電流を印加する電源供給基板と、
出光面と、該出光面と対向する対向面と、前記光源が配置される溝が形成された側面と、を含む光ガイドユニットと、
前記出光面から出射された光に基づいて画像を表示する表示パネルとを有し、
前記基底部はプレート形状であり、
前記蛍光体の表面は、前記第１傾斜面に対応する第１面、前記第２傾斜面に対応する第２面、及び前記上面に対応する第３面と、を含むことを特徴とする表示装置。
【請求項１５】
前記出光面には、前記表示パネルの有効表示領域に対応する有効出射領域が定義され、
前記第１傾斜面から延長される第１延長面と前記第２傾斜面から延長される第２延長面は、前記有効出射領域の外側で交差することを特徴とする請求項１４に記載の表示装置。
【発明の詳細な説明】
【技術分野】
【０００１】
本発明は、光源とこれを有する光出射モジュール及び表示装置に関し、より詳細には、出射角を増加させることのできる光源とこれを有する光出射モジュール及び表示装置に関する。
【背景技術】
【０００２】
一般的に、液晶表示装置は、光量が足りない所でも画像を表示するために表示パネルに光を提供するバックライトアセンブリを含む。携帯電話又はＰＤＰのような中小型液晶表示装置、特に、モバイル液晶表示装置は、バックライトアセンブリの光源として消費電力量が小さく、体積、及び重量が軽いという長所を有する発光ダイオード（ＬＥＤ）を含む。
【０００３】
近年では、高輝度の光を出射する発光ダイオードが提供されバックライトアセンブリ及び表示装置の輝度向上の問題は、ある程度改善された。しかし、発光ダイオードの光学的特性によって、発光ダイオードの付近の表示画面に明部と暗部が発生して、表示品質が低下するという問題点がある。
【０００４】
表示品質を向上させるために、発光ダイオードが配置される光ガイドプレートの側面に光拡散パターンを形成して、明部と暗部が発生する程度を減少させるような技術が開示されている。
【０００５】
しかし、原価節減のために、高光度発光ダイオードが開発されることによって、適用される発光ダイオードの数が減少され、配置される発光ダイオード間の間が広くなる傾向になっている。又、液晶表示装置の小型化及びＬＴＰＳ（Ｌｏｗ  Ｔｅｍｐｅｒａｔｕｒｅ  Ｐｏｌｙ  Ｓｉｌｉｃｏｎ）等の開発で発光ダイオードと有効表示領域との間の間隔が狭くなる傾向である。その結果、光ガイドプレートの入光部の周囲に明部及び暗部が発生することを抑制する問題がより重要となってきている。
【０００６】
又、バックライトアセンブリを構成する部品の工程誤差によって発光ダイオードと光ガイドプレートの入光面間の離隔間隔が設計値を外れる場合がよく発生する。これによって、発光ダイオードから出射された光の相当量が光ガイドユニットによってガイドされず損失され、バックライトアセンブリ及びこれを含む表示装置の消費電力が増加するという問題点がある。
【発明の開示】
【発明が解決しようとする課題】
【０００７】
そこで、本発明は上記従来の表示装置における問題点に鑑みてなされたものであって、本発明の目的は、１８０°に近い出射角を有する光源を提供することにある。
【０００８】
本発明の他の目的は、上記光源を含み、明部と暗部の発生を減少させることのできる光出射モジュールを提供することにある。
【０００９】
本発明の更に他の目的は、上記光源を含む表示装置を提供することにある。
【課題を解決するための手段】
【００１０】
上記目的を達成するためになされた本発明による光源は、基底部と、該基底部の中央から凸状に形成された突出部とを含む本体と、前記基底部に対して傾斜角をなすように前記突出部に配置される発光チップを含む発光体と、前記基底部、突出部、及び発光チップを覆う蛍光体とを有し、前記基底部はプレート形状であり、前記突出部は、前記基底部の表面と第１角度をなす第１傾斜面、前記基底部の表面と垂直の平面に対して前記第１傾斜面と対称をなす第２傾斜面、及び前記第１傾斜面の上端及び第２傾斜面の上端を連結する上面とを含み、前記蛍光体の表面は、前記第１傾斜面に対応する第１面、前記第２傾斜面に対応する第２面、及び前記上面に対応する第３面と、を含むことを特徴とする。
【００１１】
前記発光体は、前記第１傾斜面に配置される第１発光チップと、前記第２傾斜面に配置される第２発光チップとを含むことが好ましい。
前記第１発光チップ及び第２発光チップは青色光を出射し、前記蛍光体は、前記青色光の入射を受けて白色光を出射する黄色蛍光体を含むことが好ましい。
前記第１角度は、３０°〜４５°であることが好ましい。
【００１２】
前記突出部の表面は、円形に丸められた曲面で形成されることが好ましい。
前記蛍光体の表面は、前記突出部の表面に対応して円形に丸められた曲面で形成されることが好ましい。
出光面と、前記光源が配置される溝を含む光ガイドユニットと、前記光源を実装して、前記発光体に駆動電流を供給する電源供給基板とを更に有することが好ましい。
前記出光面から出射された光を利用して画像を表示する表示パネルを更に有することが好ましい。
【００１３】
上記目的を達成するためになされた本発明による光出射モジュールは、溝が形成された光ガイドユニットと、前記溝に配置され、基底部及び前記基底部の中央から凸状に形成された突出部とを含む本体、前記基底部に対して傾斜角をなすように前記突出部に配置され、第１光を出射する発光チップ、及び前記基底部、突出部、及び発光チップを覆って前記第１光の入射を受けて第２光を前記光ガイドユニットに出射する蛍光体とを含む光源と、前記光源が実装され、前記発光チップに駆動電流を印加する電源供給基板とを有し、前記基底部はプレート形状であり、前記突出部は、前記基底部の表面と第１角度をなす第１傾斜面、前記基底部の表面と垂直の平面に対して前記第１傾斜面と対称をなす第２傾斜面、及び前記第１傾斜面の上端及び第２傾斜面の上端を連結する上面とを含み、前記蛍光体の表面は、前記第１傾斜面に対応する第１面、前記第２傾斜面に対応する第２面、及び前記上面に対応する第３面と、を含むことを特徴とする。
【００１４】
前記光ガイドユニットは、ガイドされた前記第２光が出射される出光面と、前記出光面と対向する対向面と、前記出光面と対向面とを連結して、前記溝が形成される側面とを含むことが好ましい。
前記出光面から出射された光を利用して画像を表示する表示パネルを更に含むことが好ましい。
前記側面には複数個の前記溝が形成され、前記光源は前記溝にそれぞれ配置されることが好ましい。
前記溝は、前記第１傾斜面に対応する第１内側面と、前記第２傾斜面に対応する第２内側面とを含むことが好ましい。
【００１５】
上記目的を達成するためになされた本発明による表示装置は、基底面と、該基底面と第１角度をなす第１傾斜面と、前記基底面の垂直仮想中心平面に対して前記第１傾斜面と対称をなす第２傾斜面とを含む本体と、前記第１傾斜面に配置される第１発光チップと、前記第２傾斜面に配置される第２発光チップとを含む発光体と、前記基底面、第１傾斜面、第２傾斜面、第１発光チップ、及び第２発光チップを覆う蛍光体とを含む光源と、前記光源が実装され、前記第１発光チップ及び第２発光チップに駆動電流を印加する電源供給基板と、出光面と、該出光面と対向する対向面と、前記光源が配置される溝が形成された側面とを含む光ガイドユニットと、前記出光面から出射された光に基づいて画像を表示する表示パネルと、を有し、前記基底部はプレート形状であり、前記蛍光体の表面は、前記第１傾斜面に対応する第１面、前記第２傾斜面に対応する第２面、及び前記上面に対応する第３面とを含むことを特徴とする。
【００１６】
前記出光面には、前記表示パネルの有効表示領域に対応する有効出射領域が定義され、前記第１傾斜面から延長される第１延長面と前記第２傾斜面から延長される第２延長面は、前記有効出射領域の外側で交差することが好ましい。
【発明の効果】
【００１７】
本発明に係る光源とこれを有する光出射モジュール及び表示装置によれば、光源は約１８０°の出射角を有するので、光出射モジュールの出光面及び表示装置の表示画面に明部及び暗部が発生する程度が大幅に減少され、表示品質が向上するという効果がある。
【発明を実施するための最良の形態】
【００１８】
次に、本発明に係る光源とこれを有する光出射モジュール及び表示装置を実施するための最良の形態の具体例を図面を参照しながら説明する。
【００１９】
図１は、本発明の一実施形態による光源の斜視図である。図２は、図１に示した光源をＩ−Ｉ’線に沿って切断した断面図である。
【００２０】
図１及び図２を参照すると、光源１０は、本体１１、発光体２０、及び蛍光体２３を含む。
【００２１】
本体１１は電気絶縁性を有する樹脂からなり、本体１１は、発光体２０及び蛍光体２３を支持する。本体１１は、基底部１２及び突出部１３を含む。
【００２２】
基底部１２はプレート形状を有し、前記突出部１３は前記基底部１２の中央部から凸状に形成される。突出部１３は一方向に長く延長され、錐形状を有することができる。
【００２３】
具体的には、突出部１３は、第１傾斜面１４、第２傾斜面１５、及び上面１６を含む。
【００２４】
第１傾斜面１４は、基底部１２の表面から突出される。第１傾斜面１４は、基底部１２の表面と鋭角である第１角度（θ）をなす。第２傾斜面１５は、基底部１２の表面の垂直仮想中心平面に対して第１傾斜面１４と対称をなす。上面１６は、第１傾斜面１４の上端及び第２傾斜面１５の上端を連結する。従って、突出部１３の断面を観察する場合、第１傾斜面１４の下端から第２傾斜面１５の下端までの距離は、第１傾斜面１４の上端から第２傾斜面１５の上端までの距離より大きい。その結果、突出部１３の断面は、ほぼ台形形状を有する。
【００２５】
発光体２０は、突出部１３に配置され光を出射する。発光体２０は、基底部１２の表面に対して傾斜するように配置される。発光体２０は、第１発光チップ２１及び第２発光チップ２２を含む。第１発光チップ２１は第１傾斜面１４に配置され、第２発光チップ２２は第２傾斜面１５に配置される。これとは別に他の実施形態において、発光体２０は上面１６に配置される第３発光チップを更に含むことができる。
【００２６】
第１及び第２発光チップ２１、２２には、それぞれ電源印加端子が形成される。例えば、第１発光チップ２１の一面には正極端子が連結され、第１発光チップ２１の他面には負極端子が連結される。正極及び負極端子に駆動電流が印加される場合、第１及び第２発光チップ２１、２２は発光する。
【００２７】
第１発光チップ２１及び第２発光チップ２２は一種のＰ−Ｎ接合半導体であって、例えば、ガリウムヒ素（ＧａＡｓ）、ガリウムリン（ＧａＰ）、ガリウム−ヒ素−リン（ＧａＡｓ１−ｘ  Ｐｘ）、ガリウム−アルミニウム−ヒ素（Ｇａ１−ｘＡｌｘＡｓ）、インジウムリン（ＩｎＰ）、又はインジウム−ガリウム−リン（Ｉｎ１−ｘＧａｘＰ）等を含む。
【００２８】
また、第１及び第２発光チップ２１、２２は、電気エネルギーを直接光エネルギーに変換する。第１及び第２発光チップ２１、２２が出射する光の波長は、半導体に添加される不純物の種類によって異なる。本実施形態において、第１及び第２発光チップ２１、２２は窒化ガリウム（ＧａＮ）を含み、青色光を出射する。これとは別に他の実施形態において、第１及び第２発光チップ２１、２２はガリウムリン（ＧａＰ）を含むことができ、この場合、亜鉛及び酸素原子が関与して出射される光は赤色（波長７００ｎｍ）で、窒素原子が関与して出射される光は緑色（波長５５０ｎｍ）である。
【００２９】
蛍光体２３は、第１及び第２発光チップ２１、２２から出射された光の入射を受け、入射光と異なる波長を有する光を出射する。蛍光体２３は、基底部１２の表面、第１傾斜面１４、第２傾斜面１５、上面１６、第１発光チップ２１、及び第２発光チップ２２を覆う。
【００３０】
蛍光体２３の表面は、第１乃至第３面２４、２５、２６を含む。第１面２４は第１傾斜面１４に対応し、第２面２５は第２傾斜面１５に対応し、第３面２６は上面１６に対応する。即ち、蛍光体２３の表面は、突出部１３の表面と対応する形状を有する。これとは別に他の実施形態において、蛍光体２３は円形に丸められた形状、例えば、平面的に見て半円形状に本体１１に形成することができる。
【００３１】
これとは別に他の実施形態において、光源１０は、蛍光体２３の表面をカバーする保護膜を更に含むことができる。
【００３２】
本実施形態において、蛍光体２３は、黄色蛍光体、例えば、ＹＡＧ（Ｙ３Ａｌ５Ｏ１２）蛍光体２３を含む。外部から黄色蛍光体２３に白色光が入射されると、黄色蛍光体２３は黄色光を出射する。外部から黄色蛍光体２３に青色光が入射される場合、黄色蛍光体２３は白色光を出射する。
【００３３】
本実施形態において、第１及び第２発光チップ２１、２２は青色光を出射し、蛍光体２３は青色光の入射を受けて白色光を出射する。
【００３４】
これとは別に他の実施形態において、蛍光体２３は、レッド蛍光体及びグリーン蛍光体を含むことができる。この場合、蛍光体２３は、レッド蛍光体及びグリーン蛍光体が所定の比率で混合されて形成され、青色光が入射される場合、白色光を出射する。
【００３５】
これと更に別の他の実施形態において、蛍光体２３の色特性は、光発生モジュール（後述、図４参照）から要求される光の波長帯域に従い多様に変更することができる。
【００３６】
図２を参照すると、第１及び第２発光チップ２１、２２から出射される光は、扇形状の方向に出射される。又、蛍光体２３の発光によって発生した光も扇形状の方向に進行する。従って、蛍光体２３の発光によって発生した光は、基底部１２の表面、第１傾斜面１４、第２傾斜面１５、及び上面１６で反射される。その結果、蛍光体２３の表面、即ち、第１乃至第３面２４、２５、２６から比較的均一に白色光が出射される。又、基底部１２はプレート形状を有するので、光源１０は約１８０°に近い光出射角を有する。
【００３７】
この際、第１乃至第３面２４、２５、２６から出射される光の輝度は、突出部１３の形状、具体的には、第１傾斜面１４が基底部１２の表面となす第１角度（θ）に影響を受ける。第１角度（θ）が増加する場合、第１面２４及び第２面２５に出射される光量は増加して、第３面２６に出射される光量は減少する。又、第１角度（θ）が減少する場合、第３面に出射される光量は増加するが、第１面２４及び第２面２５に出射される光量は減少する。第１乃至第３面２４、２５、２６に出射される光量を比較的均一にするために、第１角度（θ）は３０°〜４５°であることが好ましい。
【００３８】
図３は、本発明の他の実施形態による光源の断面図である。
【００３９】
図３を参照すると、光源１００は、本体１１０、発光体１２０、及び蛍光体１２３を含む。光源１００は、本体１１０及び蛍光体１２３の形状を除いては、図１及び図２に示した光源１０と実質的に同じである。
【００４０】
本体１１０は、基底部１１２及び突出部１１３を含む。基底部１１２はプレート形状を有し、突出部１１３は基底部１１２の中央から凸状に形成される。突出部の表面１１４は円形に丸められた曲面で形成され、突出部１１３は、例えば、平面的に見て半円形状を有する。
【００４１】
発光体１２０は、第１及び第２発光チップ１２１、１２２を含む。第１及び第２発光チップ１２１、１２２は突出部１１３の表面に配置され、第１及び第２発光チップ１２１、１２２は、基底部１１２の表面から同じ高さに配置される。突出部１１３が平面的に見て半円形状を有するので、第１及び第２発光チップ１２１、１２２は、基底部１１２の表面に対して傾斜するように配置される。
【００４２】
蛍光体１２３は、基底部１１２の表面、突出部の表面１１４、第１発光チップ１２１、及び第２発光チップ１２２を覆うように形成される。
【００４３】
図４は、本発明の一実施形態による光出射モジュールの斜視図である。図５は、図４に示す光出射モジュールの分解斜視図である。
【００４４】
図４及び図５を参照すると、光出射モジュール３００は、光源３１０、光ガイドユニット３３０、及び電源供給基板３２８を含む。
【００４５】
光源３１０は、本体３１１、発光体３２０（図６参照）、及び蛍光体３２３を含む。光源３１０は、図１及び図２に示した光源１０と実質的に同じである。光出射モジュール３００は、２つの光源３１０を含む。光源３１０の数は例示的なもので、本発明の他の実施形態による光出射モジュールでは、多様な個数の光源を含むことができる。
【００４６】
光ガイドユニット３３０は、第１及び第２発光チップ３２０から出射され、蛍光体３２３を経由した光をガイドして出射する。光ガイドユニット３３０は、光透過性、耐熱性、耐化学性、及び機械的強度等に優れた光散乱導光体からなることが好ましい。光散乱導光体の例としては、ポリメチルメタクリレート、ポリアミド、ポリイミド、ポリプロフィレン、及びポリウレタン等が挙げられる。
【００４７】
光ガイドユニット３３０はプレート形状を有し、出光面３３１、対向面３３２、及び第１乃至第４側面３３３、３３５、３３７、３３９を含む。これとは別に他の実施形態において、光ガイドユニット３３０は、第１乃至第４側面３３３、３３５、３３７、３３９のうち、いずれか一つの側面から離れるほど厚みが減少するウェッジ形状を有することができる。
【００４８】
出光面３３１及び対向面３３２は、互いに対向するように配置される。第１乃至第４側面３３３、３３５、３３７、３３９は、出光面３３１と対向面３３２をそれぞれ連結する。第１側面３３３及び第２側面３３５は、互いに対向するように配置される。第３側面３３７と第４側面３３９は互いに対向するように配置され、第１側面３３３及び第２側面３３５をそれぞれ連結する。
【００４９】
光ガイドユニット３３０には、溝３３４が形成される。溝３３４は、光源３１０の収容空間を提供する。溝３３４が形成される位置は、出光面３３１、対向面３３２、及び第１乃至第４側面３３３、３３５、３３７、３３９等多様に変更することができ、溝３３４が形成される個数は、光出射モジュール３００に要求される出光量によって変更することができる。本実施形態において、溝３３４は、図５に示すように、第１側面３３３に２つが形成され、溝３３４には光源３１０がそれぞれ配置される。
【００５０】
具体的には、溝３３４は、出光面３３１及び対向面３３２の方向がオープンされるように形成される。溝３３４は、基底面３３４ａ、第１及び第２内側面３３４ｂ、３３４ｃを含む。基底面３３４ａは第１側面３３３と平行で、光源３１０が収容されるように第１側面３３３から所定の深さに形成される。第１及び第２内側面３３４ｂ、３３４ｃは、基底面３３４ａと第１側面３３３をそれぞれ連結する。第１内側面３３４ｂは、突出部の第１傾斜面及び蛍光体３２３の第１面に対応し、第２内側面３３４ｃは突出部の第２傾斜面及び蛍光体３２３の第２面に対応し、基底面３３４ａは突出部の上面及び蛍光体３２３の第３面に対応する。
【００５１】
溝３３４の形状は、蛍光体３２３が形成される形状によって変更することができる。例えば、蛍光体３２３が、図３に示すように、表面が円形に丸められた曲面に形成された場合、溝３３４は、蛍光体３２３の表面に対応して円形に丸められた曲面に形成される。
【００５２】
電源供給基板３２８は、ベースフィルム、絶縁層、及び導電パターンを含む。ベースフィルムは絶縁性樹脂からなり、フレキシブルな特性を有する。ベースフィルム上には導電パターンが形成され、絶縁層は、導電パターンをカバーして電気的に外部と絶縁させる。
【００５３】
光源３１０は、電源供給基板３２８の絶縁層上に実装され溝３３４に挿入される。第１及び第２発光チップ３２０から引出された電源印加端子は導電パターンに電気的に連結され、電源供給基板３２８は、外部から提供された駆動電流を第１及び第２発光チップ３２０に印加する。
【００５４】
図６は、図５に示す光出射モジュールの平面図である。
【００５５】
図６を参照すると、光源３１０が溝３３４に挿入されるので、光源３１０が第１側面３３３に配置される場合より光出射モジュール３００の全体的な幅が小さくなる。又、蛍光体３２３の表面が溝３３４の形状に対応するので、蛍光体３２３から出射された光が漏洩する程度が大幅に減少される。
【００５６】
又、光源３１０が約１８０°の出射角を有し、蛍光体３２３の第１乃至第３面から出射される光の輝度が比較的均一である。従って、光源３１０の周辺領域に部分的に明部及び暗部が発生する程度が大幅に減少される。
【００５７】
図７は、本発明の一実施形態による表示装置の分解斜視図である。図８は、図７に示す表示装置をＩＩ−ＩＩ’線に沿って切断した部分断面図である。
【００５８】
図７及び図８を参照すると、表示装置５００は、光源５１０、電源供給基板５２８、光ガイドユニット５３０、及び表示パネル５９０を含む。
【００５９】
光源５１０、電源供給基板５２８、及び光ガイドユニット５３０は、図４〜図６に示した光源３１０、電源供給基板３２８、及び光ガイドユニット３３０と実質的に同じである。
【００６０】
光ガイドユニット５３０の出光面５３１は有効出射領域ＥＡ及び有効出射領域ＥＡを囲む周辺領域ＰＡに区分される。有効出射領域ＥＡは、後述する表示パネル５９０の有効表示領域ＤＡに対応する。光ガイドユニット５３０の第１側面５３３には溝５３４が形成され、溝５３４の基底面が周辺領域ＰＡ内に位置するように溝５３４は所定の深さを有する。
【００６１】
表示装置５００は、収納容器５５０及び光学シート５７０を更に含む。
【００６２】
収納容器５５０は、電源供給基板５２８に実装され溝５３４に挿入された光源５１０、光ガイドユニット５３０、光学シート５７０、及び表示パネル５９０を収納する。収納容器５５０は、底板５５１、及び第１乃至第４側壁５５３、５５５、５５７、５５９を含む。
【００６３】
底板５５１にはプレート形状の光ガイドユニット５３０が配置され、底板５５１の中央部には収納容器５５０の重量を減少させるために開口（図示せず）が形成される。第１乃至第４側壁５５３、５５５、５５７、５５９は、光ガイドユニット５３０の第１乃至第４側面５３３、５３５、５３７、５３９にそれぞれ対応して底板５５１の周辺部に配置される。第１乃至第４側壁５５３、５５５、５５７、５５９の内側には段差部が形成される。段差部によって第１乃至第４側壁５５３、５５５、５５７、５５９の外側は内側より大きい高さを有する。
【００６４】
光学シート５７０は、光ガイドユニット５３０の上部に配置される。光学シート５７０は、光ガイドユニット５３０から出射される白色光の光学特性、例えば、輝度及び輝度均一性を向上させて表示パネル５９０に出射する。光学シート５７０は、反射シート５７１、拡散シート５７３、及び集光シート５７５、５７７を含む。
【００６５】
反射シート５７１は、光ガイドユニット５３０の対向面５３２に配置され、対向面５３２から漏洩する白色光を反射して対向面５３２に再度入射させる。
【００６６】
拡散シート５７３は、出光面５３１上に配置され光ガイドユニット５３０から出射された白色光の輝度均一性を向上させる。集光シート５７５、５７７は拡散シート５７３上に配置され、拡散シート５７３から出射された白色光の正面輝度を向上させる。
【００６７】
表示パネル５９０は、光学シート５７０から出射された光を受けて、画像情報が含まれたイメージ光に変更させる。表示パネル５９０は、第１乃至第４側壁５５３、５５５、５５７、５５９に形成された段差部に配置される。表示パネル５９０は、第１基板５９１、第２基板５９５、及び液晶層（図示せず）を含む。
【００６８】
第１基板５９１は、マトリックス形態に配列された複数の画素部及び画素部にデータ電圧を印加するスイッチング素子を含む。第２基板５９５は、第１基板５９１と一定間隔だけ離隔して対向配置される。第２基板５９５は、画素部に対応するカラーフィルタ部及び共通電極を含む。第２基板５９５はカラーを表示するための基板であって、有効表示領域ＤＡと有効表示領域ＤＡを囲むエッジ領域に区分される。有効表示領域ＤＡは、光ガイドユニット５３０の有効出射領域ＥＡに対応する。
【００６９】
液晶層は、第１基板５９１と第２基板５９５との間に配置される。画素部と共通電極との間に電場が形成されることにより、液晶層を構成する液晶の配列が変化する。これによって、液晶層を透過する光の透過度が変更され、表示パネル５９０は所望する階調の画像を表示する。
【００７０】
表示パネル５９０は、駆動部５９３及びパネル印刷回路基板フィルム５９４を更に含む。駆動部５９３は第１基板５９１上に実装され、表示パネル５９０にパネル駆動信号を出力する。パネル印刷回路基板フィルム５９４は一側エッジが第１基板５９１に電気的に連結され、外部から初期画像信号の印加を受ける。
【００７１】
図９は、図７に示した表示装置の概略平面図である。図１０は、図９に示した光源の拡大図である。具体的には、図９は、収納容器５５０に収納された光ガイドユニット５３０及び光源５１０を示す。
【００７２】
図９及び図１０を参照すると、有効出射領域ＥＡに明部及び暗部が発生することを抑制するために、光源５１０は、光ガイドユニット５３０の有効出射領域ＥＡの外側、即ち、周辺領域ＰＡ内に配置され、光源５１０の本体５１１は、光源５１０が出射する光がより均一に光ガイドユニット５３０に入射するように設計される。
【００７３】
具体的には、本体５１１は、基底部５１２及び突出部５１３を含み、突出部５１３は第１傾斜面５１４、第２傾斜面５１５、及び上面５１６を含む。また、蛍光体５２３の表面は、第１乃至第３面５２４、５２５、５２６を含む。従って、第１傾斜面５１４の延長面である第１延長面、第２傾斜面５１５の延長面である第２延長面、及び上面５１６で囲まれる領域は、周辺より輝度が低い暗部になり、従って、暗部の周辺は明部になる。
【００７４】
従って、光ガイドユニット５３０の出光面５３１に定義される有効出射領域ＥＡに明部及び暗部が発生しないためには、第１延長面と第２延長面は、有効出射領域ＥＡの外側で交差する（交点Ｊが周辺領域ＰＡ内にある）ことが好ましい。このために、第１傾斜面５１４及び第２傾斜面５１５が基底部５１２の表面となす傾斜角を適切に選択することが好ましい。
【００７５】
尚、本発明は、上述の実施形態に限られるものではない。本発明の技術的範囲から逸脱しない範囲内で多様に変更実施することが可能である。
【図面の簡単な説明】
【００７６】
【図１】本発明の一実施形態による光源の斜視図である。
【図２】図１に示す光源をＩ−Ｉ’線に沿って切断した断面図である。
【図３】本発明の他の実施形態による光源の断面図である。
【図４】本発明の一実施形態による光出射モジュールの斜視図である。
【図５】図４に示す光出射モジュールの分解斜視図である。
【図６】図５に示す光出射モジュールの平面図である。
【図７】本発明の一実施形態による表示装置の分解斜視図である。
【図８】図７に示す表示装置をＩＩ−ＩＩ’線に沿って切断した部分断面図である。
【図９】図７に示す表示装置の概略平面図である。
【図１０】図９に示した光源の拡大図である。
【符号の説明】
【００７７】
１０、１００、３１０、５１０    光源
１１、１１０、３１１、５１１    本体
１２、１１２    基底部
１３、１１３    突出部
１４        第１傾斜面
１５        第２傾斜面
１６        上面
２０、１２０、３２０    発光体
２１、２２、１２１、１２２、５２０    （第１及び第２）発光チップ
２３、１２３、３２３、５２３    蛍光体
３００      光出射モジュール
３２８、５２８    電源供給基板
３３０、５３０    光ガイドユニット
３３１、５３１    出光面
３３３、３３５、３３７、３３９    （第１〜第４）側面
３３４、５３４    溝
５５０      収納容器
５７０      光学シート
５９０      表示パネル
【図１】
0005190617.tif 000002
【図２】
0005190617.tif 000003
【図３】
0005190617.tif 000004
【図４】
0005190617.tif 000005
【図５】
0005190617.tif 000006
【図６】
0005190617.tif 000007
【図７】
0005190617.tif 000008
【図８】
0005190617.tif 000009
【図９】
0005190617.tif 000010
【図１０】
0005190617.tif 000011